【事件の表示】
　平成　９年特許願第２１７４３７号「カメラ」拒絶査定不服審判事件〔平成１１年　３月　５日出願公開、特開平１１−　６４９４７〕について、次のとおり審決する。
【結　論】
　本件審判の請求は、成り立たない。
【理　由】
１．手続の経緯
　本願は、出願日が平成９年８月１２日である特願平９−２１７４３７号であって、平成１５年８月５日付で拒絶査定がなされ、これに対し平成１５年９月１１日付で拒絶査定に対する審判請求がなされ、平成１５年１０月１０日付で手続補正がなされた。
　
２．平成１５年１０月１０日付の手続補正についての補正却下の決定
［補正却下の決定の結論］
　　平成１５年１０月１０日付の手続補正（以下、「本件補正」という。）を却下する。
［理由］独立特許要件違反
（１）補正後の本願発明
　本件補正により、特許請求の範囲の請求項１は、平成１５年７月１６日付手続補正書の請求項１及び２が削除され、同請求項３及び４が、請求項１及び２に繰り上がるとともに、補正前の請求項３の、「複数の処理項目及び各々に割り当てられた処理手順を記憶する記憶手段と、前記複数の処理項目のいずれか１つ以上の表示が可能な表示手段と、前記表示手段に表示された少なくとも１つの処理項目を指定する指定手段と、前記指定手段により指定された処理項目に割り当てられた処理手順に従って動作する処理項目実行手段とを備え、前記処理項目とは、カメラの所定操作を説明するためのヘルプ項目であり、前記処理手順に従った動作とは、前記ヘルプ項目に割り当てられた説明を前記所定操作の順に順次表示する手順であることを特徴とするカメラ。」を
　請求項１の「複数の処理項目及び各々に割り当てられた処理手順を記憶する記憶手段と、前記複数の処理項目のいずれか１つ以上の表示が可能な表示手段と、前記表示手段に表示された少なくとも１つの処理項目を指定する指定手段と、前記指定手段により指定された処理項目に割り当てられた処理手順に従って動作する処理項目実行手段とを備え、前記処理項目とは、カメラの所定操作に必要な操作を説明するためのヘルプ項目であり、前記処理手順に従った動作とは、前記ヘルプ項目に割り当てられた取り扱い説明を前記所定操作の順に順次表示する手順であることを特徴とするカメラ。」として補正された。
　
　この補正は、補正前の「ヘルプ項目に割り当てられた説明」を「ヘルプ項目に割り当てられた取り扱い説明」と限定したもので、特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
（２）引用例
　原査定の拒絶の理由に引用された、本願の出願前に頒布された刊行物である特開平９−１３５４１４号公報（以下、「引用例１」という。）には、以下の点が記載されている。
　
ア．【０００１】【発明の属する技術分野】
　本発明は，少なくとも撮影した画像を記録媒体に記録するデジタルスチルビデオカメラに関し，より詳細には，記録媒体の記録残容量を音声で通知するデジタルスチルビデオカメラに関する。
　
イ．【００１８】
　また，２１２は表示パネルを示し，図示の如く，カメラ本体の上面に配置されており，バッテリーの状態や，記録可能枚数，設定されているモード等，カメラの状態をマークや数字で表示する構成である。
　
　したがって、引用例１には、「カメラの状態を表示する表示パネルを備えたカメラ。」（以下、「引用発明」という。）が記載されている。
　
　また、本願の出願前に頒布された刊行物である特開昭６４−１８７４５号公報（以下、「周知例１」という。）には、以下の点が記載されている。
ウ．表示装置１０は中央処理装置９に対しＣＲＴコントローラ２０およびビデオＲＡＭ２１を介して信号授受可能に接続されており、中央処理装置９で作成した画像処理データをビデオＲＡＭ２１により記憶するとともに、その記憶データに基づいてＣＲＴコントローラ２０により表示装置１０の表示画面１１上に画像を表示させるように構成されている。（公報第３頁左下欄下から２行〜右下欄７行）
　
エ．全画面の目録を一括して表示するメニュー画面を作り、その中から目的の画面を選択して表示させる場合のように（公報第６頁左上欄１０〜１２行）
　
オ．表示装置１０の表示画面１１上に各種取扱説明の内容を紙芝居のように順番に取扱状態の画像と操作キー２４とでもって表示するとともに、その内容を音声によって報知するようにしてもよい。この取扱説明としては、例えば車両の始業点検、タイヤチェーンの着脱、タイヤ交換等が挙げられる。例えば、車両タイヤへのタイヤチェーンの取付方法を説明する場合、第５図に示すように、タイヤチェーンの取付手順の各段階を表示した複数の画面を作って、それら複数の画面を取付手順に沿って順番に表示画面１１上に表示する（公報第６頁右上欄下から２行〜左下欄１０行）
　
カ．メニューキー部２４’ｄを操作したときには、表示の順番に関係なく、一気に同図（ｅ）の如く、タイヤチェーンの取付方法を含めた複数の取扱説明の内容全体を一覧表示したメニュー画面に戻るように構成されている。（公報第６頁右下欄下から２行〜第７頁左上欄３行）
　
　以上の記載事項から、周知例１には、「車両の始業点検、タイヤチェーンの着脱、タイヤ交換等の取扱説明（本願補正発明の「複数の処理項目」に相当。以下、括弧内同様。）及びタイヤチェーンの取付手順等（各々に割り当てられた処理手順）の画像処理データを記憶するビデオＲＡＭ２１（記憶手段）、タイヤチェーンの取付手順の各段階を表示する表示画面１１（表示手段）、タイヤチェーンの取付方法を含めた複数の取扱説明の内容全体（表示手段に表示された処理項目）を一覧表示したメニュー画面からタイヤチェーンの取付方法を選択する指定手段（記載事項エ．から明らか）（指定手段）、各段階を表示した複数の画面を作って、それら複数の画面を取付手順に沿って順番に表示画面１１上に表示する手段（処理項目実行手段）とを備え、車両の始業点検、タイヤチェーンの着脱、タイヤ交換等の取扱説明は、車両の所定操作の取扱説明（ヘルプ項目）であり、取扱説明の各段階を表示した複数の画面を作って、それら複数の画面を取付手順に沿って順番に表示する（所定操作の順に順次表示する）技術手段」（以下、「周知の技術手段１」という。）が記載されている。
　
　また、本願の出願前に頒布された刊行物である特開平８−１３７６４７号公報（以下、「周知例２」という。）には、以下の点が記載されている。
キ．【００５７】
　第２の機能として、マルチメディアヘルプ制御部４７は、図１５〜図１９にて後述するごとく、まず詳細度の最も低い内容の操作案内情報（上級者向けヘルプ情報）を再生部４２で再生し、入力部４０から操作者によって詳細度の変更を指示・要求される都度、徐々に詳細度の高い内容の操作案内情報（中級者向けヘルプ情報，初級者向けヘルプ情報）を再生部４２で順次再生するように制御する。
　
ク．【００７２】
　マルチメディアヘルプ情報の画像や音声等のデータはＣＤ−ＲＯＭ，ハードディスク等の大容量記憶装置（データベース４３）に格納されている。
　
ケ．【００８５】
　ヘルプ画面Ｂでは、図１５に示すように、現在発生しているエラーを復旧させるための一連の作業の流れを示す図（画像）およびテキスト（文字情報）が、その作業単位（パーツ）毎に小さな複数の画面Ｂ１〜Ｂ６に格子状に区切られ、左上から右下へ向かって操作順に表示されている。表示の順序は、最も効率的にエラー対処が行なえるように、前述のごとく予め決定されたパーツコードシーケンスに従っている。
【００８６】
　このとき、各画面Ｂ１〜Ｂ６は、マルチメディアヘルプタイトルを構成する各パーツの先頭画面と同じものになっている。紙幣入出金機２０のエラー対処にある程度慣れた中級レベルの操作者であれば、このヘルプ画面Ｂを見ただけで適切なエラー対処を行ない、紙幣入出金機２０を復旧させることができる。復旧を完了すると、メカ２０Ａ内のセンサ２０Ｂ，２０Ｃにより復旧が検知され（ステップＳ１８でＹＥＳ判定）、「復旧した」等の表示を画面上で行なってから（図１９のステップＳ４９）、ＣＲＴ４２Ａ上の表示は自動的に業務画面Ａ０に復帰する（ステップＳ５０）。
　・・・
【００８８】
　図１５に示すように、パーツＡ（ヘルプ画面Ｂ１）がクリックされた場合、もしくは、タイマによりヘルプ画面Ｂ表示後所定時間が経過したことが検知された場合には、図１７のステップＳ２０に移行し、より詳細なヘルプ画面Ｃ１−１〜Ｃ１−ｎが順次表示される。同様に、パーツＢ，Ｃ，Ｄ，Ｅ，Ｉ（ヘルプ画面Ｂ２〜Ｂ６）がクリックされた場合には、それぞれ、図１７のステップＳ２４，図１８のステップＳ２８，Ｓ３２（Ｓ３５），図１９のステップＳ４１，Ｓ４５へ移行し、より詳細なヘルプ画面Ｃ２−１〜Ｃ２−ｎ；…；Ｃ６−１〜Ｃ６−ｎが順次表示される。これらのヘルプ画面Ｃ１−１〜Ｃ１−ｎ；…；Ｃ６−１〜Ｃ６−ｎをヘルプ画面Ｃと総称する。
【００８９】
　このヘルプ画面Ｃでは、動画，静止画，音声，テキスト（文字情報）等を使用したエラー復旧方法の操作説明が行なわれるようになっており、紙幣入出金機２０に初めて触れるような初級レベルの操作者でも、そのヘルプ画面Ｃを参照しながら並行して紙幣入出金機２０に対する操作を行なえば、確実に適切なエラー対処を行ない、紙幣入出金機２０を復旧させることができる。
　
　以上の記載事項から、周知例２には、「複数の操作案内情報（例えばＢ１〜Ｂ６に表示されたもの）（複数の処理項目）及び各々に割り当てられたより詳細な操作説明（例えばヘルプ画面Ｃ１−１〜Ｃ１−ｎに表示されるもの）（処理手順）を記憶する大容量記憶装置（記憶手段）と、前記複数の操作案内情報の１つ以上が表示可能なＣＲＴ（表示手段）と、ＣＲＴ画面に表示された少なくとも１つの操作案内情報をクリックする手段（指定手段）と、指定された操作案内情報のより詳細な操作説明に従って順次表示する手段（処理項目実行手段）とを備え、前記操作案内情報とは、紙幣入出金機の所定操作に必要な操作を説明するための作業単位ごとの操作説明（ヘルプ項目）であり、より詳細な操作説明に従った動作とは、作業単位ごとの操作説明に割り当てられたより詳細な操作説明をエラー復旧方法の所定操作の順に順次表示する（所定操作の順に順次表示する）技術手段」（以下、「周知の技術手段２」という。）が記載されている。
　
　また、本願の出願前に頒布された刊行物である特開平８−２６３５２８号公報（以下、「周知例３」という。）には、以下の点が記載されている。
ク．【００２２】
　　【作用】
　請求項１記載の発明においては、まず、操作者が命令入力手段によって作図命令を行い、それに基づき図形作成手段により図面が作成され、表示画面に当該図面が表示されているものとする。この図面の作成途中で、操作者が、命令入力手段により作業命令としてヘルプ表示を指定すると、項目検索表示手段により、ヘルプデータ記憶手段に記憶されている項目名のみが読み出される。これにより、表示手段に項目名が表示され、操作者が、画面上の項目名を命令入力手段によって指定する。そして、この指定された項目名に基づき、項目検索表示手段によってヘルプデータ記憶手段が検索され、当該項目名に対応するヘルプデータが表示手段に表示される。この時、命令入力手段によって指定された項目が図形データからなる場合は、表示手段にヘルプデータとして図形が表示される。
　
コ．【００２２】【作用】
　請求項１記載の発明においては、まず、操作者が命令入力手段によって作図命令を行い、それに基づき図形作成手段により図面が作成され、表示画面に当該図面が表示されているものとする。この図面の作成途中で、操作者が、命令入力手段により作業命令としてヘルプ表示を指定すると、項目検索表示手段により、ヘルプデータ記憶手段に記憶されている項目名のみが読み出される。これにより、表示手段に項目名が表示され、操作者が、画面上の項目名を命令入力手段によって指定する。そして、この指定された項目名に基づき、項目検索表示手段によってヘルプデータ記憶手段が検索され、当該項目名に対応するヘルプデータが表示手段に表示される。この時、命令入力手段によって指定された項目が図形データからなる場合は、表示手段にヘルプデータとして図形が表示される。
　
サ．【００７６】
　同実施例においては、図１に示すように、連続表示テーブルＴＢＬ３及び連続表示手段Ｐ５０が設けられている。連続表示テーブルＴＢＬ３は、操作内容に応じて、表示画面に表示されるヘルプデータの項目名の順序が格納される連続表示記憶手段である。また、連続表示手段Ｐ５０は、連続表示テーブルＴＢＬ３から項目名の順序を呼び出し、当該順序に応じて項目名に対応するヘルプデータをヘルプデータテーブルＴＢＬ１から読み出して、図形表示手段１に表示する。
【００７７】
（Ｅ−２）第５実施例の作用
　次に、上記構成を有する第５実施例の作用について、図９のフローチャートを参照して説明する。
【００７８】
　まず、連続表示手段Ｐ５０により、連続表示の設定がされているか否かが判定される（ステップＳ５０１）。そして、連続表示の設定されている場合は、連続表示テーブルに予め定義されている操作手順が読み込まれ（ステップＳ５０２）、それに応じてヘルプ画面の切り替え及びウィンドウ図形の表示が順次行われる。　以上のように本実施例によれば、操作者が表示する項目を命令入力手段２によって指定する代わりに、予め表示するヘルプデータの項目名の順序を連続表示テーブルＴＢＬ３に記憶させる。そして、連続表示手段Ｐ５０により、連続表示テーブルＴＢＬ３から順序を示すデータが取り込まれ、その順序に従って連続的に項目名に応じたヘルプデータが表示される。そのため、複数の項目に係る複雑な操作内容についても、操作の流れに応じて順次表示することができるため、操作者が操作の流れ全体を理解することが容易となる。また、この連続表示手段Ｐ５０を用いることにより、専用のプログラムを作成する必要がなく、ＣＡＤ装置の操作方法を学習するための機能を実現することができる。
　
　以上の記載事項から、周知例３には、「ヘルプデータの項目名（複数の処理項目）及び各々に対応するヘルプデータ（処理手順）を記憶するヘルプデータ記憶手段（記憶手段）と、項目名を表示する表示手段（表示手段）と、画面上の項目名を指定する命令入力手段（指定手段）と、指定された項目に対応するヘルプデータを順次表示する手段（処理項目実行手段）とを備え、項目名とは、ＣＡＤ装置の操作方法を説明する項目（ヘルプ項目）であり、項目名に対応するヘルプデータを順次表示する（所定操作の順に順次表示する）技術手段」（以下、「周知の技術手段３」という。）が記載されている。
　
（３）対比
　そこで、本願補正発明と引用発明とを比較する。
　引用発明の「表示パネル」は、本願補正発明の「表示手段」に相当するので、両者は、「表示手段を備えるカメラ」である点で一致し、引用発明は、表示内容が「カメラの状態」であるのに対し、本願補正発明は、「ヘルプ項目や、ヘルプ項目に割り当てられた取り扱い説明」である点で相違し、そのため、本願補正発明は、引用発明にない「複数の処理項目及び各々に割り当てられた処理手順を記憶する記憶手段と、前記複数の処理項目のいずれか１つ以上の表示が可能な表示手段と、前記表示手段に表示された少なくとも１つの処理項目を指定する指定手段と、前記指定手段により指定された処理項目に割り当てられた処理手順に従って動作する処理項目実行手段とを備え、前記処理項目とは、カメラの所定操作に必要な操作を説明するためのヘルプ項目であり、前記処理手順に従った動作とは、前記ヘルプ項目に割り当てられた取り扱い説明を前記所定操作の順に順次表示する手順であること」（相違点１）の構成を有する点で相違する。
　
（４）判断
相違点１について
　一般の装置に、ヘルプ項目や、ヘルプ項目に割り当てられた取り扱い説明を表示させる場合に、カメラの所定操作を除く上記相違点１に係るような構成とすることは、上記周知の技術手段１〜３にあるように従来周知の技術事項である。
　そして、上記従来周知の技術事項をカメラに適用しようとする場合に、カメラの所定操作に必要な操作を説明するためのヘルプ項目とし、上記相違点１に係る構成とすることは、当業者にとって容易である。
　
　そして、本願補正発明の効果も、引用発明、及び従来周知の技術事項から予測される範囲のもので格別のものとは言えない。
　
　したがって、本願補正発明は、引用例１，及び従来周知の技術事項に基づいて、当業者が容易に発明をすることができたものであるから、特許法第２９条第２項の規定により特許出願の際独立して特許を受けることができないものである。
　
（５）むすび
　以上のとおり、本件補正は、平成１５年改正前特許法第１７条の２第５項で準用する同法第１２６条第４項の規定に違反するものであり、特許法第１５９条第１項で読み替えて準用する特許法第５３条第１項の規定により却下されるべきものである。
　
３．本願発明について
（１）本願発明
　平成１５年１０月１０日付の手続補正は上記のとおり却下されたので、本願の請求項３に係る発明（本願補正発明の請求項１に係る発明に対応するもの、以下、「本願発明」という。）は、平成１５年７月１６日付手続補正書の特許請求の範囲の請求項３に記載された事項により特定されるものである。（上記、「２．（１）補正後の本願発明」参照。）
　
（２）引用例
　原査定の拒絶の理由に引用された引用例１の記載事項は、前記「２．（２）」に記載したとおりである。
　
（３）対比・判断
　本願発明は、本願補正発明から、上記「２．（１）補正後の本願発明」で述べた構成の限定を省いたものである。
　
　そうすると、本願発明の構成要件をすべて含み、さらに他の構成要件を付加したものに相当する本願補正発明が、前記「２．（４）」に記載したとおり、引用例１に記載された発明及び従来周知の技術事項に基づいて、当業者が容易に発明をすることができたものであるから、本願発明も、同様の理由により、引用例１に記載された発明及び従来周知の技術事項に基づいて、当業者が容易に発明をすることができたものである。
　
（４）むすび
　以上のとおり、本願発明は、引用例１に記載された発明、及び従来周知の技術事項に基づいて、当業者が容易に発明をすることができたものであるから、特許法第２９条第２項の規定により特許を受けることができない。
　よって、結論のとおり審決する。